(57)【要約】      （修正有）【課題】カメラ側の電源接片と接触接続して電源供給する外部電源装置において、外部電源装置を大型化することなく、撮像装置本体の電池蓋を外部電源装置に収納でき、かつ、撮像装置本体の電池蓋を外部電源装置に収納する際に、電池蓋や外部電源装置の破損やキズ付きを防ぐ構成を提示する。【解決手段】撮像装置本体の電源接片と接触接続して電源を供給する電源接点部５を備えた外部電源装置において、電源接点部は電源接続部の上面に設置されており、電源接続部の側面には、撮像装置本体の電池蓋を収納できる電池蓋収納部を備えており、電池蓋収納部に、電池蓋の開閉軸を保持する軸保持部が備えられており、電池蓋収納部に、電池蓋のツメを保持するツメ保持部を備えた外部電源装置。【選択図】図１
2012185250.tif 000002
【特許請求の範囲】
【請求項１】
撮像装置本体の電源接片と接触接続して電源を供給する電源接点部（６）を備えた外部電源装置（１）において、
電源接点部（６）は電源接続部（４）の上面に設置されており、
電源接続部（４）の側面には、撮像装置本体の電池蓋（２）を収納できる電池蓋収納部（３）を備えており、
電池蓋収納部（３）に、電池蓋（２）の軸（１０）を保持する軸保持部（１２）（１５）が備えられており、
電池蓋収納部（３）に、電池蓋（２）のツメ（７）を保持するツメ保持部（１３）を備えたことを特徴とする外部電源装置。
【請求項２】
撮像装置本体の電源接片と接触接続して電源を供給する電源接点部（６）を備えた外部電源装置（１）において、
軸保持部（１２）には、電池蓋（２）の開閉バネ（９）を付勢するバネ付勢形状（１４）を備えたことを特徴とする請求項１に記載の外部電源装置。
【請求項３】
撮像装置本体の電源接片と接触接続して電源を供給する電源接点部（６）を備えた外部電源装置（１）において、
電池蓋収納部（３）には、電池蓋（２）が電池蓋収納部（３）の壁（３ａ）に対して直交する位置から、電池蓋（２）が開閉バネ（９）によって開き方向に付勢される最大開き位置までの間の任意の位置で、電池蓋（２）の開き方向の回転を規制させる手段（１２）を備えたことを特徴とする請求項１または請求項２に記載の外部電源装置。
【請求項４】
撮像装置本体の電源接片と接触接続して電源を供給する電源接点部（６）を備えた外部電源装置（１）において、
軸保持部（１５）の一方は穴が設置され、もう一方は切欠き形状が設置されており、
前記切欠き形状は電池蓋収納部（３）の壁（３ａ）に対し直交する方向に設けられていることを特徴とする請求項１に記載の外部電源装置。
【発明の詳細な説明】
【技術分野】
【０００１】
本発明は、カメラ用外部電源装置に関し、特に、電池蓋収納部の構造に関する。
【背景技術】
【０００２】
従来、カメラ側の電源接片と接触接続して、カメラに電源を供給する外部電源装置が公知である。
【０００３】
カメラ本体の電源接片は、電池室の奥に設置されているため、このような外部電源装置には、カメラ本体の底面から電源接片までの高さの電池接続部が設けられている。そして、電源接続部の上部に、カメラ本体の電源接片と接触接続する電源接点部が設けられている。
そのような外部電源装置をカメラ本体の電池室に挿入する際は、カメラ本体の電池蓋が邪魔になるために、特許文献１に開示されているような、電池蓋を外部電源装置の中に入れ電池蓋が無くならないようにしたものが知られている。
【０００４】
また、図７に示したような、電源接点部１１０を上面に備えた電源接続部１２０を有する外部電源装置１００では、電源接続部１２０の下部に設置された穴１３０に、カメラ本体から取り外した電池蓋２００を差し込んで収納する構成も知られている。
【０００５】
加えて図８に示すような、電源接点部３１０を上面に備えた電源接続部３２０を有する外部電源装置３００も公知である。
【０００６】
この外部電源装置３００では、カメラ本体から取り外した電池蓋４００を、電源接続部３２０の側面に設けられた電池蓋収納部３３０の保持腕３３１と弾性部材３３２の間に、図示の矢印の方向に押し込んで収納する。この外部電源装置３００では、電池蓋４００を、電池蓋収納部３３０の保持腕３３１と弾性部材３３２で、電池蓋４００を図示Ｘ方向に押さえつけることで電池蓋４００が電池蓋保持部３３０より脱落しないように構成されている。
【先行技術文献】
【特許文献】
【０００７】
【特許文献１】特開平08-184886号公報
【発明の概要】
【発明が解決しようとする課題】
【０００８】
特許文献1に開示された従来技術では、電池蓋収納部を外部電源装置の側面に設けるために、外部電源装置を大型化しなくてはならなかった。さらに、外部電源装置の側面が突出することで、外部電源装置を装着したカメラを正位置で構えた際に、外部電源装置の側面が右手の腹に当たり、ホールド性が低下してしまうといった問題もあった。
【０００９】
また、電池蓋を開いた状態のまま、外部電源装置の電源接続部をカメラ本体の電池室内に挿入するため、外部電源装置を装着する際、電池蓋と外部電源装置の電源接点部が接触し、電池蓋や外部電源装置の電源接点部が破損してしまうという問題も生じていた。
【００１０】
図７の構成でも特許文献１と同様、電池蓋２００を収納するための穴１３０を外部電源装置１００の側面に設けるため、外部電源装置１００を大型化しなくてはならなかった。さらに、外部電源装置１００の側面が突出することで、外部電源装置を装着したカメラを正位置で構えた際に、外部電源装置の側面が右手の腹に当たり、ホールド性が低下してしまうといった問題も生じていた。
【００１１】
前記のような問題を解決するため、図８の構成では、電池蓋収納部３３０を電源接続部３２０の側面に構成することで、外部電源装置３００を大型化することなく、外部電源装置３００を装着したカメラを正位置で構えた際のホールド性が向上した。
【００１２】
しかしながら、電池蓋４００を電池蓋収納部３３０の保持腕３３１と弾性部材３３２の間に押し込む際に、弾性部材３３２の反発力を受けながら電池蓋４００を押し込むため、電池蓋４００を収納しづらいといった問題が生じた。
【００１３】
また、電池蓋４００の着脱の際に、電池蓋４００の表面と電池蓋収納部３３０の表面がこすれ合い、電池蓋４００の表面および電池蓋収納部３３０の表面にキズついてしまうという問題も生じた。
【００１４】
また、電池蓋４００は、保持腕３３０と弾性部材３３２によって、図示Ｘ方向が固定されるが、図示Ｙ方向やＺ方向は電池蓋４００の収納操作性上、位置規制が設置できない。そのため、外部電源装置３００に振動する力が加わると、電池蓋４００が電池蓋収納部３３０の中で振動し、電池蓋４００の表面および電池蓋収納部３３０の表面にキズがつくという問題も生じた。
【００１５】
本発明は、カメラ側の電源接片と接触接続して電源供給する外部電源装置において、外部電源装置を大型化することなく、カメラ本体の電池蓋を外部電源装置に収納でき、かつ、カメラ本体の電池蓋を外部電源装置に収納する際に、電池蓋や外部電源装置の破損やキズ付きを防ぐ構成を提示することを目的とする。
【課題を解決するための手段】
【００１６】
本出願に係る発明の目的を実現する構成は、請求項１に記載のように、電池蓋の脱着が可能な撮像装置に装着する外部電源装置において、
前記外部電源装置は、前記撮像装置の電源接片と接触接続して電源供給を行う電源接点部を備えており、
前記電源接点部が設置された電源接続部の側面に、前記撮像装置の電池蓋を収納する電池蓋収納部が設けられていることを特徴とし、
前記電池蓋収納部には、前記電池蓋の軸とツメを保持する保持機構が設けられている。
【発明の効果】
【００１７】
本発明によれば、外部電源装置および撮像装置本体を大型化することなく、かつ、前記撮像装置本体の電池蓋と外部電源装置が接触して破損およびキズが付くことを防止することが可能となる。
【００１８】
また、電池蓋の収納動作が、撮像装置本体の電池蓋着脱動作と同一になることで、外部電源装置を初めて使用する場合でも、違和感なく電池蓋収納動作を行うことが可能である。
【図面の簡単な説明】
【００１９】
【図１】本発明の第一の実施例であるデジタル一眼レフカメラ用バッテリーグリップを前方（交換レンズ側）から見た斜視図である。
【図２】本発明の一実施例であるデジタル一眼レフカメラの電池蓋の構成を説明する図である。
【図３】本発明の第一の実施例であるデジタル一眼レフカメラ用バッテリーグリップの電池蓋収納部を拡大した斜視図である。
【図４】本発明の第一の実施例であるデジタル一眼レフカメラ用バッテリーグリップに電池蓋を収納する手法を説明した図である。
【図５】本発明の第二の実施例であるデジタル一眼レフカメラ用バッテリーグリップを前方（交換レンズ側）から見た斜視図および、本発明の第二の実施例であるデジタル一眼レフカメラ用バッテリーグリップの電池蓋収納部を拡大した斜視図である。
【図６】本発明の第二の実施例であるデジタル一眼レフカメラ用バッテリーグリップに電池蓋を収納する手法を説明した図である。
【図７】従来のデジタル一眼レフカメラ用バッテリーグリップの穴に電池蓋を差し込んで収納する手法を説明した図である。
【図８】従来のデジタル一眼レフカメラ用バッテリーグリップの腕部に電池蓋を押し込んで収納する手法を説明した図である。
【発明を実施するための形態】
【００２０】
以下に、本発明の好ましい実施の形態を、添付の図面に基づいて詳細に説明する。
【００２１】
［実施例１］
図１は本実施例の外部電源装置本体であるデジタル一眼レフカメラ用バッテリーグリップ１を前方（交換レンズ側）からみた斜視図を示す。
【００２２】
図２（ａ）は本実施例の外部電源装置本体であるデジタル一眼レフカメラ用バッテリーグリップ１が装着される、デジタル一眼レフカメラの電池蓋２を内側からみた斜視図を示す。図２（ｂ）は本実施例の外部電源装置本体であるデジタル一眼レフカメラ用バッテリーグリップ１が装着される、デジタル一眼レフカメラの電池蓋２を外側からみた斜視図を示す。
【００２３】
図３は本実施例の外部電源装置本体であるデジタル一眼レフカメラ用バッテリーグリップ１の電池蓋収納部３の斜視図である。
【００２４】
図４は本実施例の外部電源装置本体であるデジタル一眼レフカメラ用バッテリーグリップ１に電池蓋２を取り付ける手順を示す図である。
【００２５】
図１のように、バッテリーグリップ１には電源接続部４が突設されている。
【００２６】
電源接続部４の上面には、デジタル一眼レフカメラ（図示せず）に電源を供給するために、前記デジタル一眼レフカメラの電池室内に設置された電源接片（図示せず）と接触接続を行う電源接点部５が構成されている。
【００２７】
電源接続部４は、前記デジタル一眼レフカメラで使用するリチウムイオン電池（図示せず）と同様の形状をしており、電源接続部４が滑らかに前記デジタル一眼レフカメラに挿入されるよう、レール部６が設けられている。
【００２８】
電源接続部４の側面には、前記デジタル一眼レフカメラの電池蓋２を収納するための電池蓋収納部３が設けられている。
【００２９】
電池蓋収納部３はレール部６に掛からない面に設置されているため、電池蓋２のサイズに関わりなく、レール部６の長さを十分に確保することができる。
【００３０】
また、電池蓋収納部３は電池蓋２の全長よりも大きく設置されているため、バッテリーグリップ１の側面に電池蓋収納スペースを設置する必要がなく、バッテリーグリップ１を小型化することが可能である。
【００３１】
図２（ａ）のように、前記デジタル一眼レフカメラに電池蓋２が取り付けられている際は、ツメ７が前記デジタル一眼レフカメラの穴（図示せず）に係合し、閉じた状態で固定される。
【００３２】
電池蓋２を開く際は、ツメ７と一体形成された開閉レバー８を図２（ｂ）の矢印Ｐの方向に摺動させることにより、ツメ７が図２（ａ）の矢印Ｑの方向に退避し、電池蓋２を開くことができる。
【００３３】
電池蓋２は開閉バネ９によって、開き方向に付勢されているため、ツメ７が外れると開放位置まで電池蓋２が開く構成となっている。
【００３４】
前記開放位置とは、電池蓋２がカメラ本体の壁に当たって止まる位置を意味する。
【００３５】
また、電池蓋２には開閉回転の中心となる軸１０が設けられている。
【００３６】
電池蓋２を開放位置まで開いた状態で、軸退避レバー１１を図２（ａ）の矢印Ｅの方向に作用させると、軸退避レバー１１と一体形成された軸１０の一端１０ａが図２（ａ）の矢印Ｆの方向に退避し、前記デジタル一眼レフカメラから電池蓋２を取り外すことができる。尚、軸１０ｂは固定されている。
【００３７】
図３のように、電池蓋収納部３には、電池蓋２の軸１０を保持するため軸保持部１２と、電池蓋２のツメ７を保持するツメ保持部１３が構成されている。
【００３８】
軸保持部１２には電池蓋２の軸１０ａを差し込むための穴１２ａと、電池蓋２の軸１０ｂを差し込むための穴１２ｂ、電池蓋２の開閉バネ９を開き方向に付勢するためのバネ付勢形状１４が設けられている。
【００３９】
電池蓋２をバッテリーグリップ１に収納する場合は、図４（ａ）のように、前記デジタル一眼レフカメラから取り外した電池蓋２の軸退避レバー１１を図示の矢印Ｓの方向に作用させ、軸１０ａを退出させた状態で、軸１０ｂを軸保持部１２の穴１２ａに差し込む。
【００４０】
軸退避レバー１１を開放すると、図４（ｂ）のように、電池蓋２の軸１０ａが軸保持部１２の穴１２ｂに差し込まれ、電池蓋２は軸１０を中心とした開閉回転にのみ摺動できる状態となる。
【００４１】
図４（ｃ）のように、電池蓋２を閉じ方向に回転させると、ツメ７がツメ保持部１３の上面形状に沿って図示の矢印Ｔの方向に退避する。
【００４２】
さらに電池蓋２を閉じ方向に回転させると、図４（ｄ）のように、ツメ７がツメ保持部１３の穴に係合し、電池蓋２が固定される。
【００４３】
電池蓋２をバッテリーグリップ１から取り外す場合は、前記デジタル一眼レフカメラから電池蓋２を取り外した手順と同様、開閉レバー部８を図４（ｄ）の矢印Ｕの方向に摺動させてツメ７を退避させる。すると、ツメ７とツメ保持部１３の穴の係合が外れ、電池蓋２が、開閉バネ９とバネ付勢形状１４によって開き方向へ付勢されているので開放状態まで開く。前記開放状態は、電池蓋２の外形と軸保持部１２が当たることによって決定される。
【００４４】
前記開放状態は、電池蓋収納部３の壁３ａや軸保持部１２の形状によって、電池蓋２が電池蓋収納部３の壁３ａに対しほぼ直交する状態から、電池蓋２の開閉バネ９が付勢される最大開き位置の間で任意に設定が可能である。この範囲の間で開放状態を決めることによって電池蓋２の取り出し操作性を向上することができる。
【００４５】
本実施例では、電池蓋２の取り出し操作性をより向上させるため、図４（ｂ）のように、電池蓋２が電池蓋収納部３の壁３ａ面とほぼ平行になる位置としている。
【００４６】
次に、軸退避レバー１１を図２（ａ）の矢印Ｓの方向に操作し、軸１０ａを退避させた状態で、電池蓋２を上方手前へ引き寄せると、軸１０ｂを軸保持部１２の穴１２ａから外れ、電池蓋２を電池蓋収納部３から取り外すことができる。
【００４７】
上記によれば、電池蓋収納部３をバッテリーグリップ１の側面に設ける必要がなく、かつ、電源接続部４のデットスペースに設置することができるため、バッテリーグリップ１の小型化が可能となる。また、デジタル一眼レフカメラから電池蓋２を着脱するのと同様の操作で、バッテリーグリップ１に電池蓋２を収納および取り出し操作を行うことが可能となる。
【００４８】
［実施例２］
図２（ａ）は本実施例の外部電源装置本体であるデジタル一眼レフカメラ用バッテリーグリップ１が装着される、デジタル一眼レフカメラの電池蓋２を内側からみた斜視図を示す。図２（ｂ）は本実施例の外部電源装置本体であるデジタル一眼レフカメラ用バッテリーグリップ１が装着される、デジタル一眼レフカメラの電池蓋２を外側からみた斜視図を示す。
【００４９】
図５（ａ）は本実施例の外部電源装置本体であるデジタル一眼レフカメラ用バッテリーグリップ１を前方（交換レンズ側）からみた斜視図を示す。図５（ｂ）は本実施例の外部電源装置本体であるデジタル一眼レフカメラ用バッテリーグリップ１の電池蓋収納部３の斜視図である。
【００５０】
図６は本実施例の外部電源装置本体であるデジタル一眼レフカメラ用バッテリーグリップ１に電池蓋２を取り付ける手順を示す図である。
【００５１】
図５（ａ）のように、バッテリーグリップ１には電源接続部４が突設されている。
【００５２】
電源接続部４の上面には、デジタル一眼レフカメラ（図示せず）に電源を供給するために、前記デジタル一眼レフカメラの電池室内に設置された電源接片（図示せず）と接触接続を行う電源接点部５が構成されている。
【００５３】
電源接続部４は、前記デジタル一眼レフカメラで使用するリチウムイオン電池（図示せず）と同様の形状をしており、電源接続部４が滑らかに前記デジタル一眼レフカメラに挿入されるよう、レール部６が設けられている。
【００５４】
電源接続部４の側面には、前記デジタル一眼レフカメラの電池蓋２を収納するための電池蓋収納部３が設けられている。
【００５５】
電池蓋収納部３はレール部６に掛からない面に設置されているため、電池蓋２のサイズに関わりなく、レール部６の長さを十分に確保することができる。
【００５６】
また、電池蓋収納部３は電池蓋の全長よりも大きく設置されているため、バッテリーグリップ１の側面に電池蓋収納スペースを設置する必要がなく、バッテリーグリップ１を小型化することが可能である。
【００５７】
図５（ｂ）のように、電池蓋収納部３には、電池蓋２の軸１０を保持するため軸保持部１５と、電池蓋２のツメ７を保持するツメ保持部１３が構成されている。軸保持部１５には電池蓋２の軸１０ａを差し込むための切欠き１５ａと、電池蓋２の軸１０ｂを差し込むための穴１５ｂが設けられている。
【００５８】
図２（ａ）のように、前記デジタル一眼レフカメラに電池蓋２が取り付けられている際は、ツメ７が前記デジタル一眼レフカメラの穴（図示せず）に係合し、閉じた状態で固定される。
【００５９】
電池蓋２を開く際は、ツメ７と一体形成された開閉レバー８を図２（ｂ）の矢印Ｐの方向に摺動させることにより、ツメ７が図２（ａ）の矢印Ｑの方向に退避し、電池蓋２を開くことができる。
【００６０】
電池蓋２は開閉バネ９によって、開き方向に付勢されているため、ツメ７が外れると開放位置まで電池蓋２が開く構成となっている。
【００６１】
また、電池蓋２には開閉回転の中心となる軸１０が設けられている。
【００６２】
電池蓋２を開放位置まで開いた状態で、軸退避レバー１１を図２（ａ）の矢印Ｅの方向に作用させると、軸退避レバー１１と一体形成された軸１０の一端１０ａが図２（ａ）の矢印Ｆの方向に退避し、前記デジタル一眼レフカメラから電池蓋２を取り外すことができる。尚、軸１０ｂは固定されている。
【００６３】
電池蓋２をバッテリーグリップ１に収納する場合は、図６（ａ）のように、前記デジタル一眼レフカメラから取り外した電池蓋２の軸１０ｂを軸保持部１５の穴１５ｂに差し込む。
【００６４】
本実施例では、切欠き１５ａが電池蓋収納部３の壁３ａとほぼ直交する方向に設けられているため、電池蓋２を図６（ａ）の矢印の方向に押し込むだけで、軸１０ａが切欠き１５ａに差し込まれるようになっている。
【００６５】
さらに電池蓋２を図６（ａ）の矢印の方向に押し込んでいくと、ツメ７がツメ保持部１３の上面形状に沿って退避していく。
【００６６】
電池蓋２が電池蓋収納部３を構成する何れかの壁面に当たるまで、さらに電池蓋２を図６（ａ）の矢印の方向に押し込むと、図６（ｂ）のように、ツメ７がツメ保持部１３の穴に係合し、電池蓋２が固定される。
【００６７】
電池蓋２をバッテリーグリップ１から取り外す場合は、まず、開閉レバー部８を図６（ｂ）の矢印の方向に摺動させて、ツメ７とツメ保持部１３の穴の係合を外す。
【００６８】
すると、切欠き１５ａが図６（ａ）の矢印とほぼ並行な方向に設けられているために、軸１０ａが切欠き１５ａから外れる。
【００６９】
次に、軸１０ｂを穴１５ｂから外すことで、電池蓋２を電池蓋収納部３から取り外すことができる。
【００７０】
上記によれば、電池蓋２を収納するスペースをバッテリーグリップ１の側面に設ける必要がなく、かつ、電源接続部４のデットスペースに設置することができるため、バッテリーグリップ１の小型化が可能となる。
【００７１】
また、本実施例では、電池蓋２に開閉バネが設置されていない場合でも、電池蓋２の収納および取り出しの操作性が向上できる。加えて、切欠き１５ａが図６（ａ）の矢印と並行な方向に設けられていることで、電池蓋２の収納および取り出しの操作性を更に向上することが可能となる。
【符号の説明】
【００７２】
１  デジタル一眼レフカメラ用バッテリーグリップ
２  電池蓋
３  電池蓋収納部
４  電源接続部
５  電源接点部
６  レール部
７  ツメ
８  開閉レバー
９  開閉バネ
１０  軸
１１  軸退避レバー
１２  軸保持部（実施例１）
１３  ツメ保持部
１４  バネ付勢形状
１５  軸保持部（実施例２）
【図１】
2012185250.tif 000003
【図２】
2012185250.tif 000004
【図３】
2012185250.tif 000005
【図４】
2012185250.tif 000006
【図５】
2012185250.tif 000007
【図６】
2012185250.tif 000008
【図７】
2012185250.tif 000009
【図８】
2012185250.tif 000010